(57)【要約】      （修正有）【課題】後開きドレス等に付いているファスナーの開閉に際し、着脱の動作を身体に無理なく楽に上げ下げするための補助器具を提供する。【解決手段】クリップ下部パーツ１の前面に突起３を要した円盤４が回転するように円盤中心にビス７で留め、クリップ上部パーツ２には突起のない平らな円盤６をクリップ下部パーツ１同様に円盤中心にビス８で留め、クリップ下部パーツ１に取り付けた円盤４の突起３を受け、一体となって回転し、円盤の材質はファスナーのスライダーが傷つかないように強化ゴムを使用し、クリップ下部パーツ１およびクリップ上部パーツ２の中間部にスプリング５をセットしてクリップの定をなすことを特徴とする。後開きドレス等の背面にあるファスナーのスライダー部分に取り付け、本体後部に接続するストラップを保持して引っ張り、スライダーを上げ下げし、ファスナーを開閉する。【選択図】図３
0003166484.tif 000002
【実用新案登録請求の範囲】
【請求項１】
クリップ下部パーツ１は平らでクリップ上部パーツ２はＶ型からなるクリップ型のファスナー開閉補助器具であり、クリップ下部パーツ１の前面に突起３を要した円盤４が回転するように円盤中心にビス７で留め、クリップ上部パーツ２には突起のない平らな円盤６をクリップ下部パーツ１同様に円盤中心にビス８で留め、クリップ下部パーツ１に取り付けた円盤４の突起３を受け、一体となって回転し、円盤の材質はファスナーのスライダーが傷つかないように強化ゴムを使用し、クリップ下部パーツ１およびクリップ上部パーツ２の中間部にスプリング５をセットしてクリップの定をなすことを特徴とするファスナー開閉補助器具。
【請求項２】
前記クリップ型ファスナー開閉補助器具のクリップ下部パーツ１およびクリップ上部パーツ２に変え、片側蝶番１４で他方側は鍵カン１５を備えた形状のロケットペンダント型ファスナー開閉補助器具であり、ロケットペンダント内部に上下ともシリコンラバーもしくは弾力性のある強化ゴムの滑り止めクッション１６をはめ込み、開いたロケットペンダントの片側の滑り止めクッション１６の上半分に等間隔に丸い小さな突起１７をつけスライダーの丸カン１０もしくは隙間１１か丸穴１３に引っかけ圧力をかけてロケットペンダントの鍵カン１５をかけて閉じることで上げ下げ動作の際、ファスナーのスライダー１２または１９がロケットペンダントから抜け出すことを防止し、尚且つ金具が傷つかないよう保護し、ストラップ２２は二本の紐からなる輪状で、長さを調整する筒状の部品２３を備え、ファスナー開閉補助器具として使用する時はストラップ２２は最長の長さで使用し、使用しない時はペンダントとして着用することができ、首にかけたストラップ２２を好みの長さに調整することが出来ることを特徴とする請求項１記載のクリップ型ファスナー開閉補助器具を応用したファスナー開閉補助器具。
【考案の詳細な説明】
【技術分野】
【０００１】
本考案は、後開きドレス等に付いているファスナーの開閉に際し、着脱の動作を身体に無理なく楽に上げ下げするための補助器具を提供するもの。
【背景技術】
【０００２】
洋装店などで販売されている後開きドレスのファスナーについて、着脱時の上げ下げを困難に感じる顧客が多い。
【考案の概要】
【考案が解決しようとする課題】
【０００３】
後開きドレスの着脱は年齢とともに後ろに手がまわり難くなり、核家族で、一人住まいの女性や高齢者には、とりわけ困難を要する。また若い女性にとってもデザイン性に富んだスリムなワンピースは同様に苦労し、肥満女性にとっても同様である。
【課題を解決するための手段】
【０００４】
本考案は、クリップ下部パーツ１は平らでクリップ上部パーツ２はＶ型からなるクリッ
プ型のファスナー開閉補助器具であり、クリップ下部パーツ１の前面に突起３を要した円盤４が回転するように円盤中心にビス７で留め、クリップ上部パーツ２には突起のない平らな円盤６をクリップ下部パーツ１同様に円盤中心にビス８で留め、クリップ下部パーツ１に取り付けた円盤４の突起３を受け、一体となって回転し、円盤の材質はファスナーのスライダーが傷つかないように強化ゴムを使用し、クリップ下部パーツ１およびクリップ上部パーツ２の中間部にスプリング５をセットしてクリップの定をなすことを特徴とするファスナー開閉補助器具である。
後開きドレス等の背面にあるファスナーのスライダー部分に、ファスナー開閉補助器具を取り付け、ファスナー開閉補助器具の本体後部に接続するストラップを保持して引っ張り、スライダーを上げ下げすることで、上記の課題を解消することができる。
【考案の効果】
【０００５】
本考案のファスナー開閉補助器具は、後開きドレス等の洋服を一人で着脱する際に、背面のファスナーに手が届かなかったり、肩に負担がかかることを解消し、他人の手を借りずに洋服の着脱を無理なく容易に行うことが出来る。
【考案を実施するための形態】
【０００６】
本考案はファスナーのスライダーをはさんで上げ下げするクリップ型のファスナー開閉補助器具で、クリップ下部パーツ１の内部には突起３をつけたまわる円盤４と、クリップ上部パーツ２にはそれを受けてまわる円盤６があり、その突起３をスライダーの丸カン１０もしくは隙間１１か丸穴１３に引っ掛けてスライダーがクリップから抜け出ないようにする。ファスナー開閉補助器具の本体後部には長さ５０ｃｍ程度で使用上の必要強度を有する帯状のストラップを接続し、その端末には引き抜け防止のストッパーを設ける。
【０００７】
図１、図２、図３および図１０の詳細を説明する。
１はクリップの下部パーツであり、形状は平らで突起３を有した円盤４を備える。この円盤４は３６０度回転する機能を有するよう、ビス７にてクリップ下部パーツ１に取り付ける。また、本体後部にはストラップ接続用のカン９を備える。
２はクリップ上部パーツであり、緩やかな角度のＶ型からなる形状で突起を有しない円盤６を備え３６０度回転する機能を有するよう、ビス８にてクリップ上部パーツ２に取り付ける。クリップ下部パーツ１とクリップ上部パーツ２はスプリング５により結合させる。
クリップ下部パーツ１に備えたカン９にはストラップ２０を接続し、その端末には引き抜け防止のストッパー２１を設ける。
【０００８】
ファスナー開閉補助器具本体の機能説明をする。
円盤４の突起３は、ファスナーＡの１０およびＢの１１または１３の各部を保持し、円盤６と挟みあうことでスライダー上げ下げ時の引き抜けを防止するものである。この突起は強化プラスチックまたはアクリル材等の丈夫でファスナー部分を傷つけない材質を用いる。
円盤４および円盤６は、相互に回転することでスライダー上げ下げ時にクリップ部の可動域を確保し、スムーズな動作を実現するものである。
【実施例】
【０００９】
本考案のファスナー開閉補助器具を使用する時は、予め後開きドレス等のファスナーのスライダー部分にファスナー開閉補助器具を設置しておく。次いで洋服を着用し、ファスナー開閉補助器具のストラップを後ろでに肩越しへ持ち上げ余長をとり、引き上げることでファスナーを閉じる。
洋服を脱ぐ際は首の後ろにあるファスナーのスライダーをファスナー開閉補助器具で横から挟み、ストラップを引いてファスナーを開く。
【００１０】
応用したファスナー開閉補助器具について例を示す。
前記クリップ型ファスナー開閉補助器具のクリップ下部パーツ１およびクリップ上部パーツ２に変え、片側蝶番１４で他方側は鍵カン１５を備えた形状のロケットペンダント型ファスナー開閉補助器具であり、ロケットペンダント内部に上下ともシリコンラバーもしくは弾力性のある強化ゴムの滑り止めクッション１６をはめ込み、開いたロケットペンダントの片側の滑り止めクッション１６の上半分に等間隔に丸い小さな突起１７をつけスライダーの丸カン１０もしくは隙間１１か丸穴１３に引っかけ圧力をかけてロケットペンダントの鍵カン１５をかけて閉じることで上げ下げ動作の際、ファスナーのスライダー１２または１９がロケットペンダントから抜け出すことを防止し、尚且つ金具が傷つかないよう保護し、ストラップ２２は二本の紐からなる輪状で、長さを調整する筒状の部品２３を備え、ファスナー開閉補助器具として使用する時はストラップ２２は最長の長さで使用し、使用しない時はペンダントとして着用することができ、首にかけたストラップ２２を好みの長さに調整することが出来ることを特徴とするクリップ型ファスナー開閉補助器具を応用したファスナー開閉補助器具である。
【図面の簡単な説明】
【００１１】
【図１】クリップのパーツ
【図２】突起を有した円盤と突起を有しない円盤をビス止めした図
【図３】クリップの上下パーツをスプリングで合体した図
【図４】ロケットペンダント型パーツを開いた図
【図５】ロケットペンダント型パーツの側面図
【図６】ファスナーをタイプ別に示した図
【図７】ロケットペンダント型パーツをファスナーに取り付けた図
【図８】ロケットペンダント型ファスナー開閉補助器具の全体図
【図９】ロケットペンダント型ファスナー開閉補助器具をペンダントとして使用したときの図
【図１０】クリップ型ファスナー開閉補助器具の全体図
【符号の説明】
【００１２】
１  クリップ下部パーツ
２  クリップ上部パーツ  
３  突起
４  突起を有した円盤
５  スプリング
６  突起を有しない円盤
７  下部クリップのビス
８  上部クリップのビス
９  ストラップ接続用カン
１０  丸カン
１１  隙間
１２  ファスナーＡのスライダー
１３  ファスナーＢのスライダーの穴
１４  蝶番
１５  鍵カン
１６  クッション
１７  丸い小さな突起
１８  ストラップ取り付け接続カン
１９  ファスナーＢのスライダー
２０  クリップ型ファスナー開閉補助器具のストラップ
２１  すべり止め金具
２２  ロケットペンダント型ファスナー開閉補助器具のひも状ストラップ
２３  ひも状ストラップ長さ調整部品
【図１】
0003166484.tif 000003
【図２】
0003166484.tif 000004
【図３】
0003166484.tif 000005
【図４】
0003166484.tif 000006
【図５】
0003166484.tif 000007
【図６】
0003166484.tif 000008
【図７】
0003166484.tif 000009
【図８】
0003166484.tif 000010
【図９】
0003166484.tif 000011
【図１０】
0003166484.tif 000012
【手続補正書】
【提出日】平成22年12月22日(2010.12.22)
【手続補正１】
【補正対象書類名】実用新案登録請求の範囲
【補正対象項目名】全文
【補正方法】変更
【補正の内容】
【実用新案登録請求の範囲】
【請求項１】
クリップ下部パーツ１は平らでクリップ上部パーツ２はＶ型からなるクリップ型のファスナー開閉補助器具であり、クリップ下部パーツ１の前面に突起３を要した円盤４が回転するように円盤中心にビス７で留め、クリップ上部パーツ２には突起のない平らな円盤６をクリップ下部パーツ１同様に円盤中心にビス８で留め、クリップ下部パーツ１に取り付けた円盤４の突起３を受け、一体となって回転し、円盤の材質はファスナーのスライダーが傷つかないように強化ゴムを使用し、クリップ下部パーツ１およびクリップ上部パーツ２の中間部にスプリング５をセットしてクリップの定をなすことを特徴とするファスナー開閉補助器具。
【請求項２】
片側蝶番１４で他方側は鍵カン１５を備えた形状のロケットペンダント型ファスナー開閉補助器具であり、ロケットペンダント内部に上下ともシリコンラバーもしくは弾力性のある強化ゴムの滑り止めクッション１６をはめ込み、開いたロケットペンダントの片側の滑り止めクッション１６の上半分に等間隔に丸い小さな突起１７をつけスライダーの丸カン１０もしくは隙間１１か丸穴１３に引っかけ圧力をかけてロケットペンダントの鍵カン１５をかけて閉じることで上げ下げ動作の際、ファスナーのスライダー１２または１９がロケットペンダントから抜け出すことを防止し、尚且つ金具が傷つかないよう保護し、ストラップ２２は二本の紐からなる輪状で、長さを調整する筒状の部品２３を備え、ファスナー開閉補助器具として使用する時はストラップ２２は最長の長さで使用し、使用しない時はペンダントとして着用することができ、首にかけたストラップ２２を好みの長さに調整することが出来ることを特徴とする請求項１に記載のファスナー開閉補助器具。